(57)【要約】【課題】発光される紫外線の光度を調整して殺菌力を良好なものとすることができる紫外線殺菌装置を提供すること。【解決手段】発光部１０により発光される紫外線により所定の対象個所の殺菌を行う紫外線殺菌装置において、発光部１０による紫外線の発光の積算時間を計測し、計測した積算時間が予め決められた基準時間を超える場合に、発光部１０により発光される紫外線の光度を所定量増大させる光度制御を行う制御手段３０を備えたものである。【選択図】図１
2015000111.tif 000002
【特許請求の範囲】
【請求項１】
発光部により発光される紫外線により所定の対象個所の殺菌を行う紫外線殺菌装置において、
前記発光部による紫外線の発光の積算時間を計測し、計測した積算時間が予め決められた基準時間を超える場合に、前記発光部により発光される紫外線の光度を所定量増大させる光度制御を行う制御手段を備えたことを特徴とする紫外線殺菌装置。
【請求項２】
前記発光部が設置された周辺の雰囲気の周辺温度を検知する周辺温度検知手段を備え、
前記制御手段は、前記周辺温度検知手段により検知される周辺温度が予め決められた基準温度を超える場合に、前記積算時間に所定の係数を乗ずる積算時間補正制御を行うことを特徴とする請求項１に記載の紫外線殺菌装置。
【請求項３】
前記対象個所の雰囲気の対象温度を検知する対象温度検知手段を備え、
前記制御手段は、前記対象温度検知手段により検知される対象温度が予め決められた下限温度を下回る場合には、前記光度を減少させる一方、前記対象温度が予め決められた上限温度を上回る場合には、前記光度を増大させる光度補正制御を行うことを特徴とする請求項１又は請求項２に記載の紫外線殺菌装置。
【請求項４】
前記対象個所の雰囲気の対象温度を検知する対象温度検知手段と、
前記対象個所の雰囲気の対象湿度を検知する対象湿度検知手段と
を備え、
前記制御手段は、前記対象温度検知手段により検知される対象温度及び前記対象湿度検知手段により検知される対象湿度が予め決められた条件を満足する場合、前記光度を増大させる光度補正制御を行うことを特徴とする請求項１又は請求項２に記載の紫外線殺菌装置。
【請求項５】
発光部により発光される紫外線により所定の対象個所の殺菌を行う紫外線殺菌装置において、
前記発光部により発光される紫外線の光度を検知する光度検知手段と、
前記光度検知手段により検知される光度が予め決められた基準光度を下回る場合に、前記発光部により発光される紫外線の光度を所定量増大させる光度制御を行う制御手段と
を備えたことを特徴とする紫外線殺菌装置
【請求項６】
前記対象個所の雰囲気の対象温度を検知する対象温度検知手段を備え、
前記制御手段は、前記対象温度検知手段により検知される対象温度が予め決められた下限温度を下回る場合には、前記光度を減少させる一方、前記対象温度が予め決められた上限温度を上回る場合には、前記光度を増大させる光度補正制御を行うことを特徴とする請求項５に記載の紫外線殺菌装置。
【請求項７】
前記対象個所の雰囲気の対象温度を検知する対象温度検知手段と、
前記対象個所の雰囲気の対象湿度を検知する対象湿度検知手段と
を備え、
前記制御手段は、前記対象温度検知手段により検知される対象温度及び前記対象湿度検知手段により検知される対象湿度が予め決められた条件を満足する場合、前記光度を増大させる光度補正制御を行うことを特徴とする請求項５に記載の紫外線殺菌装置。
【請求項８】
前記制御手段は、前記光度検知手段により検知される光度が予め決められた下限光度を下回る場合に、その旨を報知することを特徴とする請求項５〜７のいずれか一つに記載の紫外線殺菌装置。
【請求項９】
前記発光部は、紫外線を発光する場合に可視光も発光させることを特徴とする請求項１〜８のいずれか一つに記載の紫外線殺菌装置。
【請求項１０】
前記発光部が紫外線を発光している場合には、その旨を報知する報知手段を備えたことを特徴とする請求項１〜９のいずれか一つに記載の紫外線殺菌装置。
【請求項１１】
前記制御手段は、前記発光部に紫外線を間欠発光させることを特徴とする請求項１〜１０のいずれか一つに記載の紫外線殺菌装置。
【発明の詳細な説明】
【技術分野】
【０００１】
本発明は、紫外線殺菌装置に関し、より詳細には、発光部により発光される紫外線により所定の対象個所の殺菌を行う紫外線殺菌装置に関するものである。
【背景技術】
【０００２】
従来、例えばカップ等の飲料容器に商品である飲料を投入して販売する自動販売機においては、上記飲料を調理する調理部に対して紫外線ランプを点灯させることにより紫外線を発光して該調理部を殺菌させることが提案されている（例えば、特許文献１参照）。
【先行技術文献】
【特許文献】
【０００３】
【特許文献１】特開平８−１６１６２８号公報
【発明の概要】
【発明が解決しようとする課題】
【０００４】
ところで、上記紫外線ランプとしては蛍光灯が用いられていたため、光度を調整することは困難であった。そのため、紫外線ランプを点灯し続けると、その光度が経時的に低下してしまい、満足な殺菌力を得ることが困難となる虞れがあった。
【０００５】
一方、近年、紫外線を発光することが可能なＬＥＤが提案されている。このようなＬＥＤであれば、光度を調整することが可能である。
【０００６】
本発明は、上記実情に鑑みて、発光される紫外線の光度を調整して殺菌力を良好なものとすることができる紫外線殺菌装置を提供することを目的とする。
【課題を解決するための手段】
【０００７】
上記目的を達成するために、本発明の請求項１に係る紫外線殺菌装置は、発光部により発光される紫外線により所定の対象個所の殺菌を行う紫外線殺菌装置において、前記発光部による紫外線の発光の積算時間を計測し、計測した積算時間が予め決められた基準時間を超える場合に、前記発光部により発光される紫外線の光度を所定量増大させる光度制御を行う制御手段を備えたことを特徴とする。
【０００８】
また、本発明の請求項２に係る紫外線殺菌装置は、上述した請求項１において、前記発光部が設置された周辺の雰囲気の周辺温度を検知する周辺温度検知手段を備え、前記制御手段は、前記周辺温度検知手段により検知される周辺温度が予め決められた基準温度を超える場合に、前記積算時間に所定の係数を乗ずる積算時間補正制御を行うことを特徴とする。
【０００９】
また、本発明の請求項３に係る紫外線殺菌装置は、上述した請求項１又は請求項２において、前記対象個所の雰囲気の対象温度を検知する対象温度検知手段を備え、前記制御手段は、前記対象温度検知手段により検知される対象温度が予め決められた下限温度を下回る場合には、前記光度を減少させる一方、前記対象温度が予め決められた上限温度を上回る場合には、前記光度を増大させる光度補正制御を行うことを特徴とする。
【００１０】
また、本発明の請求項４に係る紫外線殺菌装置は、上述した請求項１又は請求項２において、前記対象個所の雰囲気の対象温度を検知する対象温度検知手段と、前記対象個所の雰囲気の対象湿度を検知する対象湿度検知手段と備え、前記制御手段は、前記対象温度検知手段により検知される対象温度及び前記対象湿度検知手段により検知される対象湿度が予め決められた条件を満足する場合、前記光度を増大させる光度補正制御を行うことを特徴とする。
【００１１】
また、本発明の請求項５に係る紫外線殺菌装置は、発光部により発光される紫外線により所定の対象個所の殺菌を行う紫外線殺菌装置において、前記発光部により発光される紫外線の光度を検知する光度検知手段と、前記光度検知手段により検知される光度が予め決められた基準光度を下回る場合に、前記発光部により発光される紫外線の光度を所定量増大させる光度制御を行う制御手段とを備えたことを特徴とする。
【００１２】
また、本発明の請求項６に係る紫外線殺菌装置は、上述した請求項５において、前記対象個所の雰囲気の対象温度を検知する対象温度検知手段を備え、前記制御手段は、前記対象温度検知手段により検知される対象温度が予め決められた下限温度を下回る場合には、前記光度を減少させる一方、前記対象温度が予め決められた上限温度を上回る場合には、前記光度を増大させる光度補正制御を行うことを特徴とする。
【００１３】
また、本発明の請求項７に係る紫外線殺菌装置は、上述した請求項５において、前記対象個所の雰囲気の対象温度を検知する対象温度検知手段と、前記対象個所の雰囲気の対象湿度を検知する対象湿度検知手段と備え、前記制御手段は、前記対象温度検知手段により検知される対象温度及び前記対象湿度検知手段により検知される対象湿度が予め決められた条件を満足する場合、前記光度を増大させる光度補正制御を行うことを特徴とする。
【００１４】
また、本発明の請求項８に係る紫外線殺菌装置は、上述した請求項５〜７のいずれか一つにおいて、前記制御手段は、前記光度検知手段により検知される光度が予め決められた下限光度を下回る場合に、その旨を報知することを特徴とする。
【００１５】
また、本発明の請求項９に係る紫外線殺菌装置は、上述した請求項１〜８のいずれか一つにおいて、前記発光部は、紫外線を発光する場合に可視光も発光させることを特徴とする。
【００１６】
また、本発明の請求項１０に係る紫外線殺菌装置は、上述した請求項１〜９のいずれか一つにおいて、前記発光部が紫外線を発光している場合には、その旨を報知する報知手段を備えたことを特徴とする。
【００１７】
また、本発明の請求項１１に係る紫外線殺菌装置は、上述した請求項１〜１０のいずれか一つにおいて、前記制御手段は、前記発光部に紫外線を間欠発光させることを特徴とする。
【発明の効果】
【００１８】
本発明の紫外線殺菌装置によれば、制御手段が、発光部による紫外線の発光の積算時間を計測し、計測した積算時間が予め決められた基準時間を超える場合に、発光部により発光される紫外線の光度を所定量増大させる光度制御を行うので、発光部の光度が経時的に劣化しても所望の光度を発光することができ、これにより発光される紫外線の光度を調整して殺菌力を良好なものとすることができるという効果を奏する。
【００１９】
また、本発明の紫外線殺菌装置によれば、光度検知手段が、発光部により発光される紫外線の光度を検知し、制御手段が、光度検知手段により検知される光度が予め決められた基準光度を下回る場合に、発光部により発光される紫外線の光度を所定量増大させる光度制御を行うので、発光部の光度が経時的に劣化しても所望の光度を発光することができ、これにより発光される紫外線の光度を調整して殺菌力を良好なものとすることができるという効果を奏する。
【図面の簡単な説明】
【００２０】
【図１】図１は、本発明の実施の形態１である紫外線殺菌装置の構成を模式的に示すブロック図である。
【図２】図２は、図１に示した制御手段が実施する光度制御処理の処理内容を示すフローチャートである。
【図３】図３は、図２に示した積算時間補正制御処理の処理内容を示すフローチャートである。
【図４】図４は、図２に示した光度補正制御処理の処理内容を示すフローチャートである。
【図５】図５は、本発明の実施の形態２である紫外線殺菌装置の構成を模式的に示すブロック図である。
【図６】図６は、図５に示した制御手段が実施する光度制御処理の処理内容を示すフローチャートである。
【図７】図７は、図６に示した光度補正制御処理の処理内容を示すフローチャートである。
【発明を実施するための形態】
【００２１】
以下に添付図面を参照して、本発明に係る紫外線殺菌装置の好適な実施の形態について詳細に説明する。
【００２２】
＜実施の形態１＞
図１は、本発明の実施の形態１である紫外線殺菌装置の構成を模式的に示すブロック図である。ここで例示する紫外線殺菌装置は、発光部１０、周辺温度検知部（周辺温度検知手段）２１、対象温度検知部（対象温度検知手段）２２、制御手段３０を備えて構成してある。
【００２３】
発光部１０は、所定の対象個所に対して紫外線を発光することができるＬＥＤ等により構成してある。
【００２４】
周辺温度検知部２１は、発光部１０の配設個所近傍に設けてある。この周辺温度検知部２１は、発光部１０の周辺温度を検知するセンサ等により構成してあり、検知した周辺温度は、検知信号として制御手段３０に与えるものである。
【００２５】
対象温度検知部２２は、上記対象個所に配設してある。この対象温度検知部２２は、対象個所の温度（以下、対象温度ともいう）を検知するセンサ等により構成してあり、検知した対象温度は、検知信号として制御手段３０に与えるものである。
【００２６】
制御手段３０は、紫外線殺菌装置の動作を統括的に制御するものであり、設定記憶部３１、積算時間算出処理部３２、光度設定処理部３３を備えて構成してある。
【００２７】
設定記憶部３１は、後述する光度制御処理の処理に必要な各種情報を予め設定し、かつ記憶するものである。より詳細には、基準温度、基準時間、対象個所の上限温度及び下限温度を予め設定し、かつ記憶するものである。
【００２８】
基準温度は、周辺温度検知部２１が検知する周辺温度の高低を判定するための閾値となる温度である。かかる基準温度を超える場合には、発光部１０が高温度雰囲気下にあるものと判定する。
【００２９】
基準時間は、発光部１０による紫外線の発光が低下してしまう発光の積算時間に関するものである。かかる基準時間を超える場合には、発光部１０による紫外線の発光が所定割合低下してしまったものと判定する。
【００３０】
対象個所の上限温度及び下限温度は、対象個所における温度範囲の閾値となるものである。より詳細には、上限温度は、かかる温度を超えると対象個所における菌等の数が一気に増大してしまうと判定できる温度であり、下限温度は、かかる温度を下回ると対象個所における菌等の数があまり変化しないと判定できる温度である。
【００３１】
積算時間算出処理部３２は、発光部１０による紫外線の発光の積算時間を算出するものである。また積算時間算出処理部３２は、後述する積算時間補正制御処理を行うものである。
【００３２】
光度設定処理部３３は、発光部１０による紫外線の光度を設定し、かつ発光部１０に対して出力するものである。より詳細には、発光部１０に印加される電圧値を設定することで光度を設定し、発光部１０に対して出力するものである。尚、ここでは発光部１０に印加される電圧値を設定することで光度を設定する光度設定処理部３３について例示するが、本発明においては、発光部に供給される電流値を設定することで光度を設定する光度設定処理部であってもよい。また光度設定処理部３３は、後述する光度補正制御処理を行うものである。
【００３３】
図２は、図１に示した制御手段が実施する光度制御処理の処理内容を示すフローチャートである。かかる光度制御処理について説明することで本発明の実施の形態１である紫外線殺菌装置の動作について説明する。
【００３４】
光度制御処理における制御手段３０は、積算時間算出処理部３２を通じて発光部１０による紫外線発光の積算時間を算出し（ステップＳ１１０）、積算時間の算出後に積算時間補正制御処理を実施する（ステップＳ１２０）。
【００３５】
図３は、図２に示した積算時間補正制御処理の処理内容を示すフローチャートである。この図３に示すように、制御手段３０の積算時間算出処理部３２は、周辺温度検知部２１より周辺温度（検知信号）を入力した場合（ステップＳ１２１：Ｙｅｓ）、入力した周辺温度が設定記憶部３１に記憶する基準時間を上回るか否かを判断する（ステップＳ１２２）。
【００３６】
周辺温度が基準温度を上回る場合（ステップＳ１２２：Ｙｅｓ）、積算時間算出処理部３２は、発光部１０が高温度雰囲気下に配設してあるものと判定して、すなわち発光部１０の劣化が比較的早いものと判定して、ステップＳ１１０で算出した積算時間に予め決められた係数を乗じて積算時間を補正して新たな積算時間を算出する（ステップＳ１２３）。ここで用いられる係数は、発光部１０（ＬＥＤ）の高温度雰囲気下における時間の経過における劣化の程度から求められたものである。かかるステップＳ１２３では、係数が「１．５」とされる場合、ステップＳ１１０で算出された積算時間が「５０時間」であれば、補正された新たな積算時間は「７５時間」となる。このような積算時間の補正を行って、その後に手順をリターンさせて今回の積算時間補正制御処理を終了する。
【００３７】
一方、周辺温度が基準温度以下の場合（ステップＳ１２２：Ｎｏ）、積算時間算出処理部３２は、上記ステップＳ１２３の処理を行うことなく、手順をリターンさせて今回の積算時間補正制御処理を終了する。この場合には、ステップＳ１１０で算出された積算時間が採用される。
【００３８】
かかる積算時間補正制御処理を行った制御手段３０は、光度設定処理部３３を通じて積算時間が設定記憶部３１に記憶する基準時間を上回るか否かを判断する（ステップＳ１３０）。
【００３９】
積算時間が基準時間を上回る場合（ステップＳ１３０：Ｙｅｓ）、光度設定処理部３３は、発光部１０に印加される電圧値を予め決められた割合だけ増加させることで光度を新たに設定する（ステップＳ１４０）。
【００４０】
一方、積算時間が基準時間以下の場合（ステップＳ１３０：Ｎｏ）、光度設定処理部３３は、光度を維持したまま設定する（ステップＳ１５０）。
【００４１】
このように光度を新設定若しくは光度を維持設定した光度設定処理部３３は、光度補正制御処理を行う（ステップＳ１６０）。
【００４２】
図４は、図２に示した光度補正制御処理の処理内容を示すフローチャートである。この図４に示すように、制御手段３０の光度設定処理部３３は、対象温度検知部２２より対象温度（検知信号）を入力した場合（ステップＳ１６１：Ｙｅｓ）、入力した対象温度が設定記憶部３１に記憶する下限温度を下回るか否かを判断する（ステップＳ１６２）。
【００４３】
対象温度が下限温度を下回る場合（ステップＳ１６２：Ｙｅｓ）、光度設定処理部３３は、対象個所は菌等の数があまり変化しない温度にあるものと判定して、ステップＳ１４０で新設定した光度若しくはステップＳ１５０で維持設定した光度を減少する補正を行う（ステップＳ１６３）。より詳細には、光度設定処理部３３は、発光部１０に印加される電圧値を予め決められた割合だけ減少させることで光度の補正を行う。かかる補正を行った光度設定処理部３３は、手順をリターンさせて今回の光度補正制御処理を終了する。
【００４４】
一方、対象温度が下限温度以上である場合（ステップＳ１６２：Ｎｏ）、光度設定処理部３３は、対象温度が上限温度を上回るか否かを判断する（ステップＳ１６４）。
【００４５】
対象温度が上限温度を上回る場合（ステップＳ１６４：Ｙｅｓ）、光度設定処理部３３は、対象個所は菌等の数が一気に増加する温度にあるものと判定して、ステップＳ１４０で新設定した光度若しくはステップＳ１５０で維持設定した光度を増大する補正を行う（ステップＳ１６５）。より詳細には、光度設定処理部３３は、発光部１０に印加される電圧値を予め決められた割合だけ増加させることで光度の補正を行う。かかる補正を行った光度設定処理部３３は、手順をリターンさせて今回の光度補正制御処理を終了する。
【００４６】
ところで、ステップＳ１６１で入力した対象温度が下限温度以上上限温度以下の場合（ステップＳ１６２：Ｎｏ，ステップＳ１６４：Ｎｏ）、光度設定処理部３３は、ステップＳ１４０で新設定した光度若しくはステップＳ１５０で維持設定した光度を維持して（ステップＳ１６６）、その後に手順をリターンさせて今回の光度補正制御処理を終了する。
【００４７】
かかる光度補正制御処理を行った制御手段３０は、光度設定処理部３３を通じて補正後の光度若しくは維持後の光度を発光部１０に出力して（ステップＳ１７０）、その後に手順をリターンさせて今回の光度制御処理を終了する。
【００４８】
以上説明したような本発明の実施の形態１である紫外線殺菌装置によれば、制御手段３０が、発光部１０による紫外線の発光の積算時間を計測し、計測した積算時間が基準時間を超える場合に、発光部１０により発光される紫外線の光度を所定量増大させる光度制御を行うので、発光部１０の光度が経時的に劣化しても所望の光度を発光することができ、これにより発光される紫外線の光度を調整して殺菌力を良好なものとすることができる。
【００４９】
上記紫外線殺菌装置によれば、制御手段３０が、周辺温度検知部２１により検知される周辺温度が基準温度を超える場合に、算出した積算時間に所定の係数を乗ずる積算時間補正制御を行うので、発光部１０の設置環境下を考慮して所望の光度を発光することができ、これにより発光される紫外線の光度を調整して殺菌力を良好なものとすることができる。
【００５０】
また、上記紫外線殺菌装置によれば、制御手段３０が、対象温度検知部２２により検知される対象温度が下限温度を下回る場合には、光度を減少させる一方、対象温度が上限温度を上回る場合には、光度を増大させる光度補正制御を行うので、対象個所の温度環境下を考慮して所望の光度を発光することができ、これにより発光される紫外線の光度を調整して殺菌力を良好なものとすることができる。
【００５１】
＜実施の形態２＞
図５は、本発明の実施の形態２である紫外線殺菌装置の構成を模式的に示すブロック図である。ここで例示する紫外線殺菌装置は、発光部１１、光度検知部（光度検知手段）４１、対象温度検知部（対象温度検知手段）４２、制御手段５０、報知部６０を備えて構成してある。
【００５２】
発光部１１は、所定の対象個所に対して紫外線を発光することができるＬＥＤ等により構成してある。
【００５３】
光度検知部４１は、上記対象個所に配設してあり、発光部１１より発光される紫外線の光度を検知するものである。この光度検知部４１は、検知した光度を検知信号として制御手段５０に与えるものである。
【００５４】
対象温度検知部４２は、光度検知部４１と同様に対象個所に配設してある。この対象温度検知部４２は、対象個所の温度（以下、対象温度ともいう）を検知するセンサ等により構成してあり、検知した対象温度は、検知信号として制御手段５０に与えるものである。
【００５５】
制御手段５０は、紫外線殺菌装置の動作を統括的に制御するものであり、設定記憶部５１、光度設定処理部５２を備えて構成してある。
【００５６】
設定記憶部５１は、後述する光度制御処理の処理に必要な各種情報を予め設定し、かつ記憶するものである。より詳細には、下限光度、基準光度、対象個所の上限温度及び下限温度を予め設定し、かつ記憶するものである。
【００５７】
下限光度は、発光部１１により発光される紫外線の最低限の閾値となるものである。発光部１１により発光される紫外線の光度が下限光度を下回る場合には、対象個所における紫外線による殺菌が十分でないと判定される。
【００５８】
基準光度は、上記下限光度よりも大きく、かつ光度検知部４１が検知する紫外線の光度の高低を判定するための閾値となるものである。かかる基準光度を下回る場合には、紫外線の光度が所望のものでないと判定する。
【００５９】
対象個所の上限温度及び下限温度は、対象個所における温度範囲の閾値となるものである。より詳細には、上限温度は、かかる温度を超えると対象個所における菌等の数が一気に増大してしまうと判定できる温度であり、下限温度は、かかる温度を下回ると対象個所における菌等の数があまり変化しないと判定できる温度である。
【００６０】
光度設定処理部５２は、発光部１１による紫外線の光度を設定し、かつ発光部１１に対して出力するものである。より詳細には、発光部１１に印加される電圧値を設定することで光度を設定し、発光部１１に対して出力するものである。尚、ここでは発光部１１に印加される電圧値を設定することで光度を設定する光度設定処理部５２について例示するが、本発明においては、発光部に供給される電流値を設定することで光度を設定する光度設定処理部であってもよい。また光度設定処理部５２は、後述する光度補正制御処理を行うものである。
【００６１】
報知部６０は、対象個所における紫外線による殺菌が不十分な場合にその旨を報知するものであり、例えばブザー音を発生する装置であったり、異常画面を表示する表示装置等により構成されるものである。
【００６２】
図６は、図５に示した制御手段が実施する光度制御処理の処理内容を示すフローチャートである。かかる光度制御処理について説明することで本発明の実施の形態２である紫外線殺菌装置の動作について説明する。
【００６３】
光度制御処理における制御手段５０は、光度検知部４１より検知された光度（以下、検知光度ともいう）を入力した場合（ステップＳ２１０：Ｙｅｓ）、光度設定処理部５２を通じて入力した検知光度が設定記憶部５１に記憶する下限光度以上であるか否かを判断する（ステップＳ２２０）。
【００６４】
検知光度が下限光度以上でない場合（ステップＳ２２０：Ｎｏ）、すなわち検知光度が下限光度を下回る場合、光度設定処理部５２は、対象個所における紫外線による殺菌が不十分であるものとして、報知部６０を通じてその旨を報知し（ステップＳ２３０）、その後に手順をリターンさせて今回の光度制御処理を終了する。
【００６５】
一方、検知光度が下限光度以上である場合（ステップＳ２２０：Ｙｅｓ）、光度設定処理部５２は、ステップＳ２１０で入力した検知光度が設定記憶部５１に記憶する基準光度を下回るか否かを判断する（ステップＳ２４０）。
【００６６】
検知光度が基準光度を下回る場合（ステップＳ２４０：Ｙｅｓ）、光度設定処理部５２は、発光部１１により発光される紫外線の光度が所望のものでないと判定して、発光部１１に印加される電圧値を予め決められた割合だけ増加させることで光度を新たに設定する（ステップＳ２５０）。
【００６７】
一方、検知光度が基準光度以上の場合（ステップＳ２４０：Ｎｏ）、光度設定処理部５２は、光度を維持したまま設定する（ステップＳ２６０）。
【００６８】
このように光度を新設定若しくは光度を維持設定した光度設定処理部５２は、光度補正制御処理を行う（ステップＳ２７０）。
【００６９】
図７は、図６に示した光度補正制御処理の処理内容を示すフローチャートである。この図７に示すように、制御手段５０の光度設定処理部５２は、対象温度検知部４２より対象温度（検知信号）を入力した場合（ステップＳ２７１：Ｙｅｓ）、入力した対象温度が設定記憶部５１に記憶する下限温度を下回るか否かを判断する（ステップＳ２７２）。
【００７０】
対象温度が下限温度を下回る場合（ステップＳ２７２：Ｙｅｓ）、光度設定処理部５２は、対象個所は菌等の数があまり変化しない温度にあるものと判定して、ステップＳ２５０で新設定した光度若しくはステップＳ２６０で維持設定した光度を減少する補正を行う（ステップＳ２７３）。より詳細には、光度設定処理部５２は、発光部１１に印加される電圧値を予め決められた割合だけ減少させることで光度の補正を行う。かかる補正を行った光度設定処理部５２は、手順をリターンさせて今回の光度補正制御処理を終了する。
【００７１】
一方、対象温度が下限温度以上である場合（ステップＳ２７２：Ｎｏ）、光度設定処理部５２は、対象温度が上限温度を上回るか否かを判断する（ステップＳ２７４）。
【００７２】
対象温度が上限温度を上回る場合（ステップＳ２７４：Ｙｅｓ）、光度設定処理部５２は、対象個所は菌等の数が一気に増加する温度にあるものと判定して、ステップＳ２５０で新設定した光度若しくはステップＳ２６０で維持設定した光度を増大する補正を行う（ステップＳ２７５）。より詳細には、光度設定処理部５２は、発光部１１に印加される電圧値を予め決められた割合だけ増加させることで光度の補正を行う。かかる補正を行った光度設定処理部５２は、手順をリターンさせて今回の光度補正制御処理を終了する。
【００７３】
ところで、ステップＳ２７１で入力した対象温度が下限温度以上上限温度以下の場合（ステップＳ２７２：Ｎｏ，ステップＳ２７４：Ｎｏ）、光度設定処理部５２は、ステップＳ２５０で新設定した光度若しくはステップＳ２６０で維持設定した光度を維持して（ステップＳ２７６）、その後に手順をリターンさせて今回の光度補正制御処理を終了する。
【００７４】
かかる光度補正制御処理を行った制御手段５０は、光度設定処理部５２を通じて補正後の光度若しくは維持後の光度を発光部１１に出力して（ステップＳ２８０）、その後に手順をリターンさせて今回の光度制御処理を終了する。
【００７５】
以上説明したような本発明の実施の形態２である紫外線殺菌装置によれば、制御手段５０が、光度検知部４１により検知される光度が基準光度を下回る場合に、発光部１１により発光される紫外線の光度を所定量増大させる光度制御を行うので、発光部１１の光度が経時的に劣化しても所望の光度を発光することができ、これにより発光される紫外線の光度を調整して殺菌力を良好なものとすることができる。
【００７６】
上記紫外線殺菌装置によれば、制御手段５０が、対象温度検知部４２により検知される対象温度が下限温度を下回る場合には、光度を減少させる一方、対象温度が上限温度を上回る場合には、光度を増大させる光度補正制御を行うので、対象個所の温度環境下を考慮して所望の光度を発光することができ、これにより発光される紫外線の光度を調整して殺菌力を良好なものとすることができる。
【００７７】
また上記紫外線殺菌装置によれば、制御手段５０が、光度検知部４１により検知される光度が下限光度を下回る場合に、報知部６０を通じてその旨を報知するので、対象個所の殺菌が十分でないことを周囲に認識させることができる。
【００７８】
以上、本発明の好適な実施の形態１及び２について説明したが、本発明はこれらに限定されるものではなく、種々の変更を行うことができる。
【００７９】
上述した実施の形態１及び２では、発光部１０，１１に印加される電圧値を設定することで光度を設定、すなわち光度を増大、減少、維持することについて説明したが、本発明においては、上述したように発光部に供給する電流値を設定することによってもよいし、また発光部が複数ある場合に紫外線を発光させる発光部の数を増減させて調整することにより光度を設定するようにしても構わない。
【００８０】
上述した実施の形態１及び２では、対象温度と、上限温度及び下限温度とを比較することで光度補正を行うようにしていたが、本発明においては、対象個所の雰囲気の対象温度を検知する対象温度検知手段と、対象個所の雰囲気の対象湿度を検知する対象湿度検知手段とを備え、制御手段が、対象温度検知手段により検知される対象温度及び対象湿度検知手段により検知される対象湿度が予め決められた条件を満足する場合、光度を増大させる光度補正制御を行うようにしてもよい。これによれば、湿度も考慮して対象個所の雰囲気を認識することができ、よりきめ細やかな光度補正を行うことができる。
【００８１】
上述した実施の形態１及び２では、発光部１０，１１は紫外線のみを発光するものであったが、本発明においては、発光部は、紫外線を発光する場合に可視光も発光させるものであってもよい。これによれば、可視光を確認することで発光部により紫外線が発光されていることを認識させることができる。また、本発明においては、発光部が紫外線を発光している場合には、その旨を報知する報知手段を備えてもよい。これによっても、発光部により紫外線が発光されていることを認識させることができる。
【００８２】
上述した実施の形態１及び２では、発光部１０，１１を常時発光（常時点灯）させることにより紫外線を発光させていたが、本発明においては、必要に応じて発光部を間欠発光（間欠点灯）させてもよい。これによれば、発光部の使用寿命の長大化を図ることができる。
【符号の説明】
【００８３】
１０  発光部
１１  発光部
２１  周辺温度検知部（周辺温度検知手段）
２２  対象温度検知部（対象温度検知手段）
３０  制御手段
３１  設定記憶部
３２  積算時間算出処理部
３３  光度設定処理部
４１  光度検知部（光度検知手段）
４２  対象温度検知部（対象温度検知手段）
５０  制御手段
５１  設定記憶部
５２  光度設定処理部
６０  報知部
【図１】
2015000111.tif 000003
【図２】
2015000111.tif 000004
【図３】
2015000111.tif 000005
【図４】
2015000111.tif 000006
【図５】
2015000111.tif 000007
【図６】
2015000111.tif 000008
【図７】
2015000111.tif 000009